(57)【特許請求の範囲】
【請求項１】
門扉の戸先側縦框に取り付けられた電気錠にケーブルを配線するための当該門扉の配線構造であって、
前記門扉は、中空状の形材でそれぞれ構成された前記戸先側縦框、下框、及び戸尻側縦框を備え、
前記下框の両端は、前記戸先側縦框及び前記戸尻側縦框にそれぞれ連結し、
前記戸先側縦框には、当該戸先側縦框の内部及び前記下框の内部を連通し、前記ケーブルを挿通可能とする第１挿通部が設けられ、
前記戸尻側縦框には、当該戸尻側縦框の内部及び前記下框の内部を連通し、前記ケーブルを挿通可能とする第２挿通部が設けられ、
前記戸尻側縦框の下方の小口には、当該小口を閉塞するキャップが取り付けられ、
前記キャップには、前記戸尻側縦框の内外を上下方向に連通したケーブル挿通部が設けられ、
前記戸先側縦框の内部、前記第１挿通部、前記下框の内部、前記第２挿通部、前記戸尻側縦框の内部、及び前記ケーブル挿通部は、前記ケーブルの配線経路となる
ことを特徴とする門扉の配線構造。
【請求項２】
前記ケーブル挿通部は、前記キャップに形成された溝部で構成されている
ことを特徴とする請求項１に記載の門扉の配線構造。
【請求項３】
前記キャップには、当該キャップとで前記ケーブルを挟持し、前記ケーブルの上下方向の移動を規制する保持具が取り付けられる
ことを特徴とする請求項１または２に記載の門扉の配線構造。
【発明の詳細な説明】
【技術分野】
【０００１】
本発明は、門扉の配線構造に関する。
【背景技術】
【０００２】
従来、住宅と道路との境界に設けられた門扉の防犯性を向上させるために、電気錠を設けた門扉が知られている（例えば、特許文献１参照）。
特許文献１に記載の門扉では、以下に示す配線構造により、当該門扉に取り付けられた電気錠と当該門扉の外部に設けられた配線ユニット（門柱配線カバー）との間をケーブルにて配線している。
すなわち、門扉の下端面にカバー材取付部を設けるとともに、当該カバー材取付部に対して、配線カバーと、当該配線カバーの吊元側の端に連続するように吊元側カバーとを設け、カバー材取付部と、配線カバー及び吊元側カバーとの間を配線経路とする。そして、当該配線経路にケーブルを配線し、吊元側カバーの側方（持ち出し口）から外部に向けてケーブルを引き出し、外部の配線ユニットに接続している。
【先行技術文献】
【特許文献】
【０００３】
【特許文献１】特開２０１３−２１３３２５号公報
【発明の概要】
【発明が解決しようとする課題】
【０００４】
しかしながら、特許文献１に記載の配線構造では、ケーブルを配線するための専用部品（カバー材取付部、配線カバー、及び吊元側カバー）が別途、必要となり、部品点数が増加してしまう、という問題がある。
【０００５】
本発明は、上記実情に鑑みて、部品点数を増加させることなくケーブルを配線することができる門扉の配線構造を提供することを目的とする。
【課題を解決するための手段】
【０００６】
上記目的を達成するため、本発明に係る門扉の配線構造は、門扉の戸先側縦框に取り付けられた電気錠にケーブルを配線するための当該門扉の配線構造であって、前記門扉は、中空状の形材でそれぞれ構成された前記戸先側縦框、下框、及び戸尻側縦框を備え、前記下框の両端は、前記戸先側縦框及び前記戸尻側縦框にそれぞれ連結し、前記戸先側縦框には、当該戸先側縦框の内部及び前記下框の内部を連通し、前記ケーブルを挿通可能とする第１挿通部が設けられ、前記戸尻側縦框には、当該戸尻側縦框の内部及び前記下框の内部を連通し、前記ケーブルを挿通可能とする第２挿通部が設けられ、前記戸尻側縦框の下方の小口には、当該小口を閉塞するキャップが取り付けられ、前記キャップには、前記戸尻側縦框の内外を上下方向に連通したケーブル挿通部が設けられ、前記戸先側縦框の内部、前記第１挿通部、前記下框の内部、前記第２挿通部、前記戸尻側縦框の内部、及び前記ケーブル挿通部は、前記ケーブルの配線経路となることを特徴とする。
【０００７】
本発明に係る門扉の配線構造では、門扉の構成として一般的に用いられる戸先側縦框、下框、戸尻側縦框、及びキャップを利用し、戸先側縦框及び戸尻側縦框に上述した第１，第２挿通部をそれぞれ形成するとともに、キャップに上述したケーブル挿通部を設けることで、ケーブルの配線経路を構成している。すなわち、ケーブルを配線するための専用部品を不要とする構造である。
したがって、本発明に係る門扉の配線構造によれば、部品点数を増加させることなくケーブルを配線することができる、という効果を奏する。
特に、キャップには戸尻側縦框の内外を上下方向に連通するケーブル挿通部が設けられているため、戸尻側縦框の内部に浸入した雨水等をケーブル挿通部から戸尻側縦框の外部に排出することができる。このため、ケーブルの配線経路に雨水等が溜まることがない。したがって、ケーブルが劣化した場合であっても、当該ケーブルからの漏電を防止することができる。
【０００８】
また、本発明は、上述した門扉の配線構造において、前記ケーブル挿通部は、前記キャップに形成された溝部で構成されていることを特徴とする。
ところで、上述したケーブルとしては、端部にコネクタを有する複数のワイヤーハーネスが当該コネクタにて繋げられた構成が多用される。そして、例えば、ケーブル挿通部をキャップに形成した孔で構成した場合、当該孔には、ワイヤーハーネスのコネクタを挿通可能とする径寸法が必要とされる。すなわち、当該孔の径寸法を考慮してキャップを比較的に大きく形成する必要がある。
これに対して、本発明に係る門扉の配線構造では、ケーブル挿通部をキャップに形成した溝部で構成している。このため、溝部を形成する際にワイヤーハーネスのコネクタの大きさを考慮する必要がない。したがって、キャップが大型化することがない。また、ケーブル挿通部をキャップに形成した溝部で構成することで、ケーブル挿通部を上述した孔で構成する場合と比較して、容易に加工することができる。
【０００９】
また、本発明は、上述した門扉の配線構造において、前記キャップには、当該キャップとで前記ケーブルを挟持し、当該ケーブルの上下方向の移動を規制する保持具が取り付けられることを特徴とする。
ところで、ケーブルにおいて、ケーブル挿通部を介して門扉の外部に引き出された部分（以下、外部露出部分と記載）は、一般的に、当該外部露出部分を保護するために、当該外部露出部分と略同一の長さ寸法を有する曲折可能な配線保護管にて覆われる。すなわち、ケーブルを配線した後に、外部露出部分に外力が加わり、当該ケーブルが門扉の外部にさらに引き出された場合には、外部露出部分の長さが配線保護管の長さよりも長くなり、配線保護管にて保護されない部位が存在してしまう。
これに対して、本発明に係る門扉の配線構造では、ケーブルは、キャップ及び保持具にて挟持され、上下方向の移動が規制される。このため、外部露出部分に外力が加わった場合であっても、外部露出部分の長さを常時、一定とし、配線保護管にて外部露出部分を適切に保護することができる。
【発明の効果】
【００１０】
本発明に係る門扉の配線構造によれば、部品点数を増加させることなくケーブルを配線することができる、という効果を奏する。
【図面の簡単な説明】
【００１１】
【図１】図１は、本発明の実施の形態に係る門扉を道路側から見た図である。
【図２】図２は、図１に示した第１扉体の構成を道路側から見た分解斜視図である。
【図３Ａ】図３Ａは、図２に示したキャップを戸尻側から見た斜視図である。
【図３Ｂ】図３Ｂは、図２に示したキャップを戸先側から見た斜視図である。
【図４】図４は、図２に示した骨組体の下端面にキャップ及びカバー材が取り付けられる状態を示した分解斜視図である。
【図５Ａ】図５Ａは、図１及び図２に示したケーブルの配線手順を示す図である。
【図５Ｂ】図５Ｂは、図１及び図２に示したケーブルの配線手順を示す図である。
【図５Ｃ】図５Ｃは、図１及び図２に示したケーブルの配線手順を示す図である。
【発明を実施するための形態】
【００１２】
以下に、図面を参照して、本発明を実施するための形態（以下、実施の形態）について説明する。なお、以下に説明する実施の形態によって本発明が限定されるものではない。さらに、図面の記載において、同一の部分には同一の符号を付している。
【００１３】
〔門扉の概略構成〕
図１は、本発明の実施の形態に係る門扉１を道路側から見た図である。
門扉１は、第１，第２扉体２Ａ，２Ｂを備えた両開きタイプで構成され、住宅と道路との境界に沿って並設された第１，第２門柱３Ａ，３Ｂに対して上下の２つのヒンジＨｇを介してそれぞれ回動可能に支持されている。なお、本実施の形態では、両開きタイプの門扉１を例示するが、本発明に係る門扉は、片開きタイプの構成としても構わない。
【００１４】
第１，第２扉体２Ａ，２Ｂには、利用者により把持されて第１，第２扉体２Ａ，２Ｂを開閉するための把手部１００Ａ，１００Ｂがそれぞれ設けられている。また、第１，第２扉体２Ａ，２Ｂには、戸先に設けられた操作部２０１の操作に応じて落とし棒２０２が上下に移動し（棒受け部３００に係合した係合状態、または非係合状態となり）、当該落とし棒２０２にて第１，第２扉体２Ａ，２Ｂの施錠及び解錠を可能とする落とし錠２００が設けられている（図２参照）。さらに、第１扉体２Ａ（道路側から見て右側の扉体）には、リモートコントローラ（図示略）の操作に応じてデッドボルト４０１を戸先から突没させ、施錠及び解錠を可能とする電気錠４００が設けられている（図２参照）。
この電気錠４００は、第１扉体２Ａの内部に設けられた配線経路ＷＰ（図２参照）を介して配線されたケーブル５００（図２参照）により、第１扉体２Ａの外部（道路側から見て右側の第１門柱３Ａに近接した位置）で住宅の敷地内に設けられた配線ユニット６００に電気的に接続される。そして、電気錠４００には、ケーブル５００を介して、例えば、内部に設けられたモータ（デッドボルト４０１を突没させるモータ（図示略））の駆動用電力が供給されるとともに、リモートコントローラ（図示略）の操作に応じて施錠または解錠を指示する制御信号等が入力される。
【００１５】
〔第１扉体の構成〕
なお、第２扉体２Ｂは、電気錠４００が設けられていない点、ケーブル５００が配線されていない点以外は、第１扉体２Ａと同様の構成を有する。このため、以下では、第１扉体２Ａの構成のみを説明し、第２扉体２Ｂの構成については、第１扉体２Ａの構成と同一の符号を付して説明を省略する。
図２は、第１扉体２Ａの構成を道路側から見た分解斜視図である。なお、図２では、説明の便宜上、住宅側及び道路側にそれぞれ設けられる表面材４の図示を省略している。
なお、以下で記載する「見込み方向」は、図２の矢印Ａｒで示すように、門扉１の奥行き（第１，第２扉体２Ａ，２Ｂの厚み）に沿った方向である。見込み方向に沿った平面については、見込み面と称し、見込み方向に直交する平面については見付け面と称する場合がある。
第１扉体２Ａは、矩形板状の面材５と、面材５の四周に装着される骨組体６と、骨組体６における住宅側及び道路側の各見付け面にそれぞれ設けられる表面材４とを備える。
【００１６】
骨組体６は、上框６１、下框６２、戸先側縦框６３、及び戸尻側縦框６４を四周枠組みすることによって構成されている。これら框部材６１〜６４は、アルミニウム合金によって成形した押し出し形材であり、全長に亘って略一様な断面形状をそれぞれ有する。
なお、以下で記載する各框部材６１〜６４の「長手方向」は、押し出し成形する場合の押し出し方向に一致する。また、以下で記載する「内周側」及び「外周側」は、各框部材６１〜６４を四周枠組みした場合での当該枠の内周側及び外周側をそれぞれ意味する。
上框６１及び下框６２は、長手方向に延びるホロー６１Ａ，６２Ａをそれぞれ有する角筒状に形成され、当該長手方向が左右方向に向くようにそれぞれ配設される。
上框６１において、内周側の見込み面を構成する見込み壁部６１１には、住宅側及び道路側の各見付け面に沿って下方にそれぞれ突出するとともに先端部分が互いに近接する方向に略直角に屈曲した一対の面材保持部６１２が形成されている。また、下框６２も同様に、内周側の見込み面を構成する見込み壁部６２１には、一対の面材保持部６２２が形成されている。そして、面材５は、上下両端部が一対の面材保持部６１２間及び一対の面材保持部６２１間にそれぞれ挿入されて保持される。
【００１７】
各縦框６３，６４は、長手方向に延びるホロー６３Ａ，６４Ａをそれぞれ有する角筒状に形成され、当該長手方向が上下方向に向くようにそれぞれ配設される。
戸尻側縦框６４において、内周側の見込み面を構成する内周側見込み壁部６４１には、住宅側及び道路側の各見付け面に沿って内周側にそれぞれ突出する一対の突出部６４２と、一対の突出部６４２の各先端部分から互いに近接する方向にそれぞれ突出した一対の面材保持部６４３とが形成されている。また、戸先側縦框６３も同様に、内周側の見込み面を構成する内周側見込み壁部６３１には、一対の突出部６３２と、一対の面材保持部（図示略）とが形成されている。そして、面材５は、左右両端部が戸先側縦框６３の一対の面材保持部（図示略）間、及び戸尻側縦框６４の一対の面材保持部６４３間にそれぞれ挿入されて保持される。
【００１８】
なお、一対の面材保持部６４３において、上下両側部分は、上框６１及び下框６２の端部を一対の突出部６４２間に挿入することができるように、切り欠かれている。以下、当該切り欠かれた部分をインロウ用切欠き６４４と記載する。なお、戸先側縦框６３も同様に、インロウ用切欠き（図示略）が形成されている。そして、上框６１及び下框６２は、以下に示すように、各縦框６３，６４にそれぞれ連結される。
すなわち、作業者は、戸先側縦框６３のインロウ用切欠き（図示略）、及び戸尻側縦框６４のインロウ用切欠き６４４を介して上框６１及び下框６２の各両端部を一対の突出部６３２間、及び一対の突出部６４２間にそれぞれ挿入し、各ホロー６１Ａ，６２Ａをそれぞれ閉塞するように当該各両端部を各見込み壁部６３１，６４１にそれぞれ当接させる。そして、各縦框６３，６４を介して、上框６１及び下框６２に設けられたビスホール（図示略）に框固定ネジ（図示略）をそれぞれ螺合させる。
【００１９】
また、内周側見込み壁部６３１には、下框６２のホロー６２Ａに対向する位置に、当該ホロー６２Ａとホロー６３Ａとを連通し、ケーブル５００を挿通可能とする第１挿通部６３３が形成されている。戸尻側縦框６４も同様に、内周側見込み壁部６４１には、ホロー６２Ａとホロー６４Ａとを連通し、ケーブル５００を挿通可能とする第２挿通部６４５が形成されている。なお、本実施の形態では、第１，第２挿通部６３３，６４５は、内周側見込み壁部６３１，６４１を貫通する孔で構成されているが、これに限られず、例えば、内周側見込み壁部６３１，６４１の下端縁に形成された切り欠きで構成しても構わない。
【００２０】
また、戸先側縦框６３において、外周側の見込み面を構成する外周側見込み壁部６３４には、ホロー６３Ａと戸先側縦框６３の外部とを連通する第１開口部６３５が形成されている。そして、電気錠４００は、デッドボルト４０１が外周側に向く姿勢で第１開口部６３５に挿入され、一対のネジＳｃ１にて外周側見込み壁部６３４に取り付けられる。
また、外周側見込み壁部６３４において、第１開口部６３５の下方には、ホロー６３Ａと戸先側縦框６３の外部とを連通する第２開口部６３６が形成されている。そして、落とし錠２００は、戸先側縦框６３における下側の小口６３Ｄからホロー６３Ａに挿入され、操作部２０１が第２開口部６３６を介して外部に露出した状態で、一対のネジＳｃ２にて外周側見込み壁部６３４に取り付けられる。すなわち、落とし棒２０２は、操作部２０１への操作に応じて、ホロー６３Ａを上下に移動し、戸先側縦框６３における下側の小口６３Ｄから突没することとなる。
【００２１】
以上説明した骨組体６の上端面（各縦框６３，６４における上側の各小口６３Ｕ，６４Ｕ、及び上框６１における外周側の見込み面を構成する外周側見込み壁部）及び下端面（各縦框６３，６４における下側の各小口６３Ｄ，６４Ｄ、及び下框６２における外周側の見込み面を構成する外周側見込み壁部）には、一対のキャップ７Ａ，７Ｂ及びカバー材８がそれぞれ取り付けられる。
なお、図２では、説明の便宜上、骨組体６の下端面に取り付けられる一対のキャップ７Ａ，７Ｂ及びカバー材８のみを図示しているが、骨組体６の上端面にも同様の構成が取り付けられるものである。
以下、骨組体６の下端面に取り付けられる一対のキャップ７Ａ，７Ｂ及びカバー材８の構成について説明する。
【００２２】
〔キャップ及びカバー材の構成〕
図３Ａは、キャップ７Ａを戸尻側から見た斜視図である。図３Ｂは、キャップ７Ａを戸先側から見た斜視図である。図４は、骨組体６の下端面にキャップ７Ａ及びカバー材８が取り付けられる状態を示した分解斜視図である。なお、図４は、戸尻側縦框６４と下框６２との連結部分を住宅側から見た図である。
一対のキャップ７Ａ，７Ｂは、各縦框６３，６４における下側の各小口６３Ｄ，６４Ｄにそれぞれ取り付けられる。なお、一対のキャップ７Ａ，７Ｂは、同一の形状を有し、左右対称となる姿勢で取り付けられる（図２）。このため、以下では、小口６４Ｄに取り付けられるキャップ７Ａの構成のみを説明し、小口６３Ｄに取り付けられるキャップ７Ｂの構成については、キャップ７Ａの構成と同一の符号を付して説明を省略する。
【００２３】
キャップ７Ａは、閉塞部７１と、挿入部７２とを備える。
閉塞部７１は、一辺の寸法が戸尻側縦框６４の見込み寸法と略同一となる平面視略正方形状の板体で構成されている。そして、閉塞部７１は、キャップ７Ａが小口６４Ｄに取り付けられた状態で、板面（上面）にて当該小口６４Ｄにおける一部の領域（戸尻側の領域）を閉塞する。
この閉塞部７１において、戸先側の側端部７１１には、当該閉塞部７１の表裏面（上下の板面）に貫通し、ホロー６４Ａと戸尻側縦框６４の外部とを連通する溝状のケーブル挿通部７１２が形成されている。
そして、上述したホロー６３Ａ〜第１挿通部６３３〜ホロー６２Ａ〜第２挿通部６４５〜ホロー６４Ａ〜キャップ７Ａのケーブル挿通部７１２は、電気錠４００と配線ユニット６００との間を電気的に接続するケーブル５００の配線経路ＷＰとなる。
なお、ケーブル５００の配線手順については、後述する。
【００２４】
挿入部７２は、閉塞部７１における上面の略中央部分に立設され、キャップ７Ａが小口６４Ｄに取り付けられた状態で、ホロー６４Ａに挿入される部分である。この挿入部７２は、第１，第２挿入部７２１，７２２を備える。
第１挿入部７２１は、略直方体形状を有し、閉塞部７１の上面において、第２挿入部７２２に対して戸尻側に立設されている。そして、第１挿入部７２１において、戸尻側の側面には、キャップ７Ａを戸尻側縦框６４に取り付けるための一対の固定用孔７２１Ａが形成されている。すなわち、キャップ７Ａは、挿入部７２を小口６４Ｄからホロー６４Ａに挿入した状態で、戸尻側縦框６４における外周側の見込み面を構成する外周側見込み壁部６４６を介して一対のネジＳｃ３を一対の固定用孔７２１Ａにそれぞれ螺合することにより、戸尻側縦框６４に取り付けられる。
第２挿入部７２２は、第１挿入部７２１よりも高さ寸法が小さい略直方体形状を有し、第１挿入部７２１の戸先側の側面に一体となるように閉塞部７１の上面に立設されている。そして、第２挿入部７２２において、戸先側の側面には、後述する保持具９（図５Ａ参照）をキャップ７Ａに取り付けるための一対の固定用孔７２２Ａが形成されている。
【００２５】
また、キャップ７Ａには、第１，第２挿入部７２１，７２２を跨ぐように、挿入部７２の上端部から閉塞部７１の下面まで貫通するガイド孔７３が形成されている。このガイド孔７３は、落とし棒２０２が挿通され、当該落とし棒２０２の上下の移動を案内する部分である。
さらに、キャップ７Ａには、第１，第２挿入部７２１，７２２の上端部から閉塞部７１の下面までそれぞれ貫通する複数（本実施の形態では４つ）の水抜き孔７４が形成されている。
【００２６】
カバー材８は、左右方向に延びる長尺状の板体で構成されている。このカバー材８における左右方向の長さ寸法は、小口６３Ｄ，６４Ｄに一対のキャップ７Ａ，７Ｂがそれぞれ取り付けられた状態で互いに対向する各側端部７１１の離間寸法と略同一の寸法を有する。また、カバー材８における幅寸法は、各縦框６４，６４の見込み寸法と略同一の寸法を有する。さらに、カバー材８における厚み寸法は、閉塞部７１の厚み寸法と略同一の寸法を有する。
【００２７】
このカバー材８において、一方の板面（上面）には、上側にそれぞれ突出し、左右方向にそれぞれ延在する一対の係合用突条部８１が形成されている。そして、カバー材８は、一対の係合用突条部８１が下框６２における外周側の見込み面を構成する外周側見込み壁部に形成された凹条部（図示略）に係合することにより、骨組体６の下端面に取り付けられる。この状態では、カバー材８は、両端部が一対のキャップ７Ａ，７Ｂの各閉塞部７１における各側端部７１１にそれぞれ当接し、小口６３Ｄ，６４Ｄにおけるキャップ７Ａ，７Ｂにて閉塞されていない領域を閉塞する。すなわち、小口６４Ｄは、キャップ７Ａとカバー材８とにより閉塞される。小口６３Ｄも同様に、キャップ７Ｂとカバー材８とにより閉塞される。
【００２８】
〔ケーブルの配線手順〕
次に、ケーブル５００の配線手順について説明する。
図５Ａないし図５Ｃは、ケーブル５００の配線手順を示す図である。なお、図５Ａないし図５Ｃは、各構成を住宅側から見た図である。
本実施の形態に係るケーブル５００は、端部にコネクタＣＮを有する複数（本実施の形態では、２つ）のワイヤーハーネスＷＨ１、ＷＨ２が当該コネクタＣＮで繋げられた構成を有する。
【００２９】
先ず、作業者は、図５Ａに示すように、一端が配線ユニット６００に電気的に接続されたワイヤーハーネスＷＨ１の他端側をキャップ７Ａにおけるケーブル挿通部７１２にあてがう。そして、作業者は、保持具９を用いて、当該ワイヤーハーネスＷＨ１の他端側をキャップ７Ａに取り付ける。
ここで、保持具９は、ワイヤーハーネスＷＨ１における外周面の形状に応じた曲面状の湾曲部９１を有する板体で構成されている。また、保持具９において、湾曲部９１を挟む両側には、表裏をそれぞれ貫通し、一対のネジＳｃ４がそれぞれ挿通される一対のネジ用孔９２が形成されている。すなわち、保持具９は、湾曲部９１をワイヤーハーネスＷＨ１の外周面に当接した状態で、一対のネジ用孔９２を介して一対の固定用孔７２２Ａに一対のネジＳｃ４をそれぞれ螺合することで、キャップ７Ａとの間でワイヤーハーネスＷＨ１を挟持する。この状態では、ワイヤーハーネスＷＨ１は、キャップ７Ａ及び保持具９により、上下の移動が規制される。
【００３０】
次に、作業者は、図５Ｂに示すように、ワイヤーハーネスＷＨ１の他端に設けられたコネクタＣＮと、ワイヤーハーネスＷＨ２の一端に設けられたコネクタＣＮとを接続する。また、作業者は、ワイヤーハーネスＷＨ１，ＷＨ２のコネクタＣＮ同士の接続部分に対し、ワイヤーハーネスＷＨ１，ＷＨ２の各保護チューブ（内部の電線を被覆するチューブ）間を跨いで各コネクタＣＮを覆うように、防水テープ（図示略）を巻き付ける。
ここで、ワイヤーハーネスＷＨ２は、他端が電気錠４００に電気的に接続されており、ホロー６３Ａ〜第１挿通部６３３〜ホロー６２Ａ〜第２挿通部６４５〜ホロー６４Ａ〜小口６４Ｄの配線経路を辿って、一端側が戸尻側縦框６４の下側に予め引き出されている。
そして、作業者は、図５Ｃに示すように、ワイヤーハーネスＷＨ１，ＷＨ２のコネクタＣＮ同士の接続部分をホロー６４Ａに挿入するとともに、側端部７１１が戸先側を向く姿勢で挿入部７２をホロー６４Ａに挿入し、キャップ７Ａを戸尻側縦框６４に取り付ける。
以上の手順により、電気錠４００と配線ユニット６００との間は、ケーブル５００にて配線される。
【００３１】
なお、具体的な図示は省略したが、ワイヤーハーネスＷＨ１において、第１扉体２Ａの外部に引き出された部分（以下、外部露出部分と記載）には、配線保護管が取り付けられている。この配線保護管は、当該外部露出部分と略同一の長さ寸法を有する曲折可能な管状部材であり、当該外部露出部分を覆うことにより当該外部露出部分を保護する。
【００３２】
以上説明した本実施の形態に係る門扉１の配線構造では、門扉１の構成として一般的に用いられる戸先側縦框６３、下框６２、戸尻側縦框６４、及びキャップ７Ａを利用し、各縦框６３，６４に第１，第２挿通部６３３，６４５をそれぞれ形成するとともに、キャップ７Ａにケーブル挿通部７１２を設けることで、ケーブル５００の配線経路ＷＰを構成している。すなわち、ケーブル５００を配線するための専用部品を不要とする構造である。
したがって、本実施の形態に係る門扉１の配線構造によれば、部品点数を増加させることなくケーブル５００を配線することができる、という効果を奏する。
【００３３】
特に、キャップ７Ａには戸先側縦框６４の内外を上下方向に連通するケーブル挿通部７１２が設けられているため、戸尻側縦框６４のホロー６４Ａに侵入した雨水等をケーブル挿通部７１２から戸尻側縦框６４の外部に排出することができる。このため、ケーブル５００の配線経路ＷＰに雨水等が溜まることがない。したがって、ケーブル５００が劣化した場合であっても、当該ケーブル５００からの漏電を防止することができる。
また、キャップ７Ａには戸先側縦框６４の内外を上下方向に連通する複数の水抜き孔７４も形成されているため、上述した漏電防止の効果を好適に図ることができる。
【００３４】
また、本実施の形態に係る門扉１の配線構造では、ケーブル挿通部７１２をキャップ７Ａに形成した溝部で構成している。このため、溝部を形成する際にワイヤーハーネスＷＨ１のコネクタＣＮの大きさを考慮する必要がない。したがって、キャップ７Ａが大型化することがない。また、ケーブル挿通部７１２をキャップ７Ａに形成した溝部で構成することで、ケーブル挿通部７１２をガイド孔７３等の孔で構成する場合と比較して、容易に加工することができる。
【００３５】
また、本実施の形態に係る門扉１の配線構造では、ケーブル５００は、キャップ７Ａ及び保持具９にて挟持され、上下方向の移動が規制される。このため、ワイヤーハーネスＷＨ１における第１扉体２Ａの外部に引き出された外部露出部分に外力が加わった場合であっても、当該外部露出部分の長さを常時、一定とし、配線保護管（図示略）にて当該外部露出部分を適切に保護することができる。
【符号の説明】
【００３６】
１  門扉、７Ａ  キャップ、９  保持具、６２  下框、６２Ａ  ホロー、６３  戸先側縦框、６３Ａ  ホロー、６４  戸尻側縦框、６４Ａ  ホロー、６４Ｄ  小口、４００  電気錠、５００  ケーブル、６３３  第１挿通部、６４５  第２挿通部、７１２  ケーブル挿通部、ＷＰ  配線経路
【図１】
0006659405.tif 000002
【図２】
0006659405.tif 000003
【図３Ａ】
0006659405.tif 000004
【図３Ｂ】
0006659405.tif 000005
【図４】
0006659405.tif 000006
【図５Ａ】
0006659405.tif 000007
【図５Ｂ】
0006659405.tif 000008
【図５Ｃ】
0006659405.tif 000009